(57)【要約】【課題】ユーザがこだわっているこだわり情報３３ｂに絞り込む検索を行うことができ、かつ、そのこだわり情報３３ｂを商品間で簡単に比較できる管理ＷＥＢサーバ３、商品検索表示プログラム２４、および商品検索比較方法を提供する。【解決手段】一覧表示画面１２０は、一商品のデータを表示する商品情報表示部１２３を複数並べて配置した構成であって、各商品情報表示部１２３内にこだわり情報３３ｂを表示するこだわり画像１２５表示部が設けられ、ステップＳ４は、前記こだわり画像１２５表示部に、抽出した商品のこだわり情報３３ｂの各項目のうちステップＳ１〜Ｓ２にて条件指定されたこだわり情報３３ｂのこだわり画像１２５を表示する。【選択図】図５
2010086499.tif 000002
【特許請求の範囲】
【請求項１】
商品についての基本情報と複数項目のこだわり情報とで構成される商品データを記憶する記憶手段と、
前記商品を検索するための基本情報とこだわり情報の検索条件を受け付ける検索条件受付手段と、
指定された検索条件に一致する商品を前記商品データから抽出する商品データ抽出処理、および、抽出した商品の一覧表示画面を作成する一覧表示画面作成処理を実行する情報処理手段と、
前記一覧表示画面を出力する出力手段とを備え、
前記一覧表示画面は、
一商品のデータを表示する商品表示部を複数並べて配置した構成であって、各商品表示部内にこだわり情報を表示するこだわり情報表示部が設けられ、
前記一覧表示画面作成処理は、
前記こだわり情報表示部に、
抽出した商品のこだわり情報の各項目のうち前記検索条件受付処理にて条件指定されたこだわり情報の項目を表示する構成とした
商品検索比較装置。
【請求項２】
前記記憶手段に記憶する商品データのこだわり情報は、こだわり部分の画像データが含まれる構成であり、
前記こだわり情報部に表示するこだわり情報の項目は、少なくとも前記こだわり部分の画像データを含む構成である
請求項１記載の商品検索比較装置。
【請求項３】
前記記憶手段は、
前記検索条件受付手段により受け付けた検索条件で構成される検索履歴データを記憶する構成であり、
前記情報処理手段は、
前記検索条件受付手段により受け付けた検索条件を前記検索履歴データに追記する検索履歴蓄積処理を実行する構成である
請求項１または２記載の商品検索比較装置。
【請求項４】
前記情報処理手段は、
検索履歴から顧客の嗜好を分析するための分析条件の指定を受け付ける分析条件受付処理と、
受け付けた分析条件に一致する過去の検索条件を前記検索履歴データから抽出する検索条件抽出処理と、
抽出した検索条件を分析結果として所定の順序で並べた分析結果一覧表示画面を作成する分析結果一覧表示画面作成処理と、
該分析結果一覧表示画面を前記出力手段により出力する分析結果一覧表示画面出力処理とを実行する構成である
請求項３記載の商品検索比較装置。
【請求項５】
前記記憶手段は、
紙媒体広告用のレイアウトデータを記憶する構成であり、
前記情報処理手段は、
紙媒体広告に掲載する商品の指定を受け付ける広告商品指定受付処理と、
指定された商品の商品データを前記レイアウトデータに当てはめて紙面データを作成する紙面データ作成処理と、
作成した紙面データ作成処理を前記出力手段により出力する紙面データ出力処理とを実行する構成である
請求項１から４のいずれか１つに記載の商品検索比較装置。
【請求項６】
コンピュータを、
商品についての基本情報と複数項目のこだわり情報とで構成される商品データを記憶する記憶手段と、
前記商品を検索するための基本情報とこだわり情報の検索条件を受け付ける検索条件受付手段と、
指定された検索条件に一致する商品を前記商品データから抽出する商品データ抽出処理、および、抽出した商品の一覧表示画面を作成する一覧表示画面作成処理を実行する情報処理手段と、
前記一覧表示画面を出力する出力手段として機能させ、
前記一覧表示画面は、
一商品のデータを表示する商品表示部を複数並べて配置した構成であって、各商品表示部内にこだわり情報を表示するこだわり情報表示部を有し、
前記一覧表示画面作成処理は、
前記こだわり情報表示部に、抽出した商品のこだわり情報の各項目のうち前記検索条件受付処理にて条件指定されたこだわり情報の項目を表示する構成である
商品検索比較プログラム。
【請求項７】
商品についての基本情報と複数項目のこだわり情報とで構成される商品データを記憶する記憶手段と、前記商品を検索するための基本情報とこだわり情報の検索条件を受け付ける検索条件受付手段と、指定された検索条件に一致する商品を前記商品データから抽出する商品データ抽出処理、および、抽出した商品の一覧表示画面を作成する一覧表示画面作成処理を実行する情報処理手段と、前記一覧表示画面を出力する出力手段とを備えた商品検索比較装置により商品の検索と比較を許容する商品検索比較方法であって、
前記一覧表示画面は、一商品のデータを表示する商品表示部を複数並べて配置された構成であり、各商品表示部内にこだわり情報を表示するこだわり情報表示部が設けられており、
前記一覧表示画面作成処理により、前記こだわり情報表示部に、抽出した商品のこだわり情報の各項目のうち前記検索条件受付処理にて条件指定されたこだわり情報の項目を表示する
商品検索比較方法。
【発明の詳細な説明】
【技術分野】
【０００１】
この発明は、例えばユーザによる条件指定に従って商品を検索し、検索結果を一覧表示してユーザによる商品比較を可能とするような商品検索比較装置、商品検索比較プログラム、および商品検索比較方法に関する。
【背景技術】
【０００２】
従来、商品（サービスを含む）を検索するシステムとして、様々なシステムが利用されている。例えば、結婚式場を選択し、予約することができるイベント予約システムが提案されている（特許文献１参照）
このイベント予約システムは、こだわり条件わがまま検索画面（特許文献１の図８参照）で挙式スタイル等を選択し、検索を行うと、一覧表示画面（特許文献１の図１０参照）で該当する式場が一覧表示されるものである。
【０００３】
また、他の検索システムとして、不動産物件を閲覧できる不動産物件取引システムが提案されている（特許文献２参照）。このシステムは、こだわり検索が可能なもので（特許文献２の段落［０１２７］参照）、検索結果を検索結果一覧画面（特許文献２の図２０参照）に表示するものである。
【０００４】
しかし、これらのシステムには、検索結果の表示工夫に欠けており、利用者にとって不便なものであった。  
詳述すると、前者のイベント予約システムは、抽象的な要望事項からキーワードを抽出してわがまま検索とするものであり、検索結果の一覧表示に何らの工夫はなかった。このため、ユーザは、一覧表示ではこだわっている部分がわからず、詳細情報を表示する画面（特許文献１の図１１参照）を表示させて始めてこだわり部分がどうなっているか確認できた。従って、こだわり部分を確認するために１つずつ詳細表示をしていく必要があり、非常に手間がかかって不便なものであった。
【０００５】
また、後者の不動産取引システムは、一覧表示を並べ替えることができるものの（特許文献２の図２０参照）、一覧表示している項目が物件番号、沿線名、所在地、土地面積、構造材質、および建物面積といった基本的な情報に過ぎなかった。このため、こだわり部分を確認したければ、詳細ボタンなどを押下して別途の画面を開く必要があった。
【特許文献１】特開平１１−１２０２３７号公報
【特許文献２】特開２００４−１７１１９８号公報
【発明の開示】
【発明が解決しようとする課題】
【０００６】
この発明は、上述の問題に鑑み、ユーザがこだわっている項目に絞り込む検索を行うことができ、かつ、そのこだわった項目を商品間で簡単に比較できる商品検索比較装置、商品検索比較プログラム、および商品検索比較方法を提供することを目的とする。
【課題を解決するための手段】
【０００７】
この発明は、商品についての基本情報と複数項目のこだわり情報とで構成される商品データを記憶する記憶手段と、前記商品を検索するための基本情報とこだわり情報の検索条件を受け付ける検索条件受付手段と、指定された検索条件に一致する商品を前記商品データから抽出する商品データ抽出処理、および、抽出した商品の一覧表示画面を作成する一覧表示画面作成処理を実行する情報処理手段と、前記一覧表示画面を出力する出力手段とを備え、前記一覧表示画面は、一商品のデータを表示する商品表示部を複数並べて配置した構成であって、各商品表示部内にこだわり情報を表示するこだわり情報表示部が設けられ、前記一覧表示画面作成処理は、前記こだわり情報表示部に、抽出した商品のこだわり情報の各項目のうち前記検索条件受付処理にて条件指定されたこだわり情報の項目を表示する構成とした商品検索比較装置であることを特徴とする。
【０００８】
これにより、ユーザがこだわっているこだわり情報に絞り込む検索を行うことができ、かつ、そのこだわり情報を商品間で簡単に比較できる。
【０００９】
この発明の態様として、前記記憶手段に記憶する商品データのこだわり情報は、こだわり部分の画像データが含まれる構成であり、前記こだわり情報部に表示するこだわり情報の項目は、少なくとも前記こだわり部分の画像データを含む構成とすることができる。  
これにより、ユーザはこだわり部分の画像を簡単に比較することができ、希望する商品を容易に探し出すことができる。
【００１０】
またこの発明の態様として、前記記憶手段は、前記検索条件受付手段により受け付けた検索条件で構成される検索履歴データを記憶する構成であり、前記情報処理手段は、前記検索条件受付手段により受け付けた検索条件を前記検索履歴データに追記する検索履歴蓄積処理を実行する構成とすることができる。  
これにより、検索結果を蓄積しておくことができ、別途の分析等に利用することが可能となる。
【００１１】
またこの発明の態様として、前記情報処理手段は、検索履歴から顧客の嗜好を分析するための分析条件の指定を受け付ける分析条件受付処理と、受け付けた分析条件に一致する過去の検索条件を前記検索履歴データから抽出する検索条件抽出処理と、抽出した検索条件を分析結果として所定の順序で並べた分析結果一覧表示画面を作成する分析結果一覧表示画面作成処理と、該分析結果一覧表示画面を前記出力手段により出力する分析結果一覧表示画面出力処理とを実行する構成とすることができる。
【００１２】
前記所定の順序は、閲覧件数の多い順、あるいは検索実行件数の多い順など、適宜の順番とすることができる。  
この態様により、過去にどのような検索条件で検索されたかを知ることができ、その検索条件からユーザの嗜好を分析することができる。
【００１３】
またこの発明の態様として、前記記憶手段は、紙媒体広告用のレイアウトデータを記憶する構成であり、前記情報処理手段は、紙媒体広告に掲載する商品の指定を受け付ける広告商品指定受付処理と、指定された商品の商品データを前記レイアウトデータに当てはめて紙面データを作成する紙面データ作成処理と、作成した紙面データ作成処理を前記出力手段により出力する紙面データ出力処理とを実行する構成とすることができる。  
これにより、商品データを利用して紙媒体広告を簡単に作成することができる。
【００１４】
またこの発明は、コンピュータを、商品についての基本情報と複数項目のこだわり情報とで構成される商品データを記憶する記憶手段と、前記商品を検索するための基本情報とこだわり情報の検索条件を受け付ける検索条件受付手段と、指定された検索条件に一致する商品を前記商品データから抽出する商品データ抽出処理、および、抽出した商品の一覧表示画面を作成する一覧表示画面作成処理を実行する情報処理手段と、前記一覧表示画面を出力する出力手段として機能させ、前記一覧表示画面は、一商品のデータを表示する商品表示部を複数並べて配置した構成であって、各商品表示部内にこだわり情報を表示するこだわり情報表示部を有し、前記一覧表示画面作成処理は、前記こだわり情報表示部に、抽出した商品のこだわり情報の各項目のうち前記検索条件受付処理にて条件指定されたこだわり情報の項目を表示する構成である商品検索比較プログラムとすることができる。  
これにより、コンピュータに商品検索比較プログラムをインストールして商品検索比較装置とすることができる。
【００１５】
またこの発明は、商品についての基本情報と複数項目のこだわり情報とで構成される商品データを記憶する記憶手段と、前記商品を検索するための基本情報とこだわり情報の検索条件を受け付ける検索条件受付手段と、指定された検索条件に一致する商品を前記商品データから抽出する商品データ抽出処理、および、抽出した商品の一覧表示画面を作成する一覧表示画面作成処理を実行する情報処理手段と、前記一覧表示画面を出力する出力手段とを備えた商品検索比較装置により商品の検索と比較を許容する商品検索比較方法であって、前記一覧表示画面は、一商品のデータを表示する商品表示部を複数並べて配置された構成であり、各商品表示部内にこだわり情報を表示するこだわり情報表示部が設けられており、前記一覧表示画面作成処理により、前記こだわり情報表示部に、抽出した商品のこだわり情報の各項目のうち前記検索条件受付処理にて条件指定されたこだわり情報の項目を表示する商品検索比較方法とすることができる。
【００１６】
これにより、ユーザがこだわっているこだわり情報に絞り込む検索を行うことができ、かつ、そのこだわり情報を商品間で簡単に比較できる。
【発明の効果】
【００１７】
この発明により、ユーザがこだわっている項目に絞り込む検索を行うことができ、かつ、そのこだわった項目を商品間で簡単に比較できる。
【発明を実施するための最良の形態】
【００１８】
この発明の一実施形態を以下図面と共に説明する。  
図１は、商品検索比較システム１のシステム構成を示す構成図である。この商品検索比較システム１は、自動車、バイク、ゴルフクラブ、不動産、あるいはホテルなど、様々な商品（サービスを含む）の提供に利用できるものであり、この実施例では自動車の販売に適用した例で説明する。
【００１９】
商品検索比較システム１は、インターネット４に接続された店舗ＷＥＢサーバ２、管理ＷＥＢサーバ３、店舗端末５、およびユーザ端末６により構成されている。
【００２０】
店舗ＷＥＢサーバ２、管理ＷＥＢサーバ３、店舗端末５、およびユーザ端末６は、キーボードやマウスなどの入力手段、ディスプレイなどの表示手段、ハードディスクなどの記憶手段、ＣＤリーダライタなどの記憶媒体に読み書きする記憶媒体処理手段、ＬＡＮボードなどの通信手段、およびＣＰＵとＲＯＭとＲＡＭなどで構成される制御手段を有しているコンピュータである。
【００２１】
店舗ＷＥＢサーバ２は、ＷＥＢサーバプログラム１１がインストールされたサーバとして機能するコンピュータであり、店舗用のホームページデータ１３が記憶されている。このホームページデータ１３には、店舗用のホームページで販売等する商品データが含まれている。なお、店舗ＷＥＢサーバ２は、店舗独自のサーバとしても良く、あるいはレンタルサーバとしても良い。
【００２２】
管理ＷＥＢサーバ３は、ＷＥＢサーバプログラム２１がインストールされた店舗ＷＥＢサーバ２として機能するコンピュータであり、他にも販売店管理プログラム２２、商品管理プログラム２３、商品検索表示プログラム２４、広告データ作成プログラム２５、および嗜好分析プログラム２６がインストールされている。
【００２３】
これらのプログラム２２〜２６は、たとえばＣＧＩ（Common Gateway Interface）やＰＨＰ（Hypertext Preprocessor）などのＷＥＢサーバ上で実行できる言語のプログラム（スクリプト）で構成すると良い。
【００２４】
また、管理ＷＥＢサーバ３には、ポータルサイト用のホームページデータ３１、店舗データ３２、商品データ３３、広告データ３４、および検索履歴データ３５が記憶されている。
【００２５】
店舗端末５は、商品を提供する各店舗で利用される端末であり、ブラウザプログラム１７がインストールされている。これにより、店舗ＷＥＢサーバ２にアクセスして自社ホームページのメンテナンス（登録商品の管理を含む）をすることや、管理ＷＥＢサーバ３にアクセスしてポータルサイトに掲載される登録商品の管理、広告データの作成、および嗜好分析などを行うことができる。
【００２６】
ユーザ端末６は、商品を検索して購入する各ユーザが使用する端末であり、ブラウザプログラム１７がインストールされている。これにより、管理ＷＥＢサーバ３にアクセスして商品検索、商品比較、および発注を行うことができる。また、ユーザ端末６は、店舗ＷＥＢサーバ２にアクセスして各店舗のオリジナルホームページを閲覧し、直接発注することもできる。
【００２７】
図２は、管理ＷＥＢサーバ３が記憶している店舗データ３２、商品データ３３、広告データ３４、および検索履歴データ３５の構成図を示す。
【００２８】
店舗データ３２は、商品を提供する店舗のデータであり、店舗識別用の店舗ＩＤ、店舗名、住所、電話番号、ＦＡＸ番号、Ｅメールアドレス、およびホームページアドレス等により構成されている。
【００２９】
商品データ３３は、商品を１点ずつ登録するデータであり、商品識別用の商品ＩＤ、店舗識別用の店舗ＩＤ、商品の基本情報３３ａ、商品のこだわり情報３３ｂ、および登録日時により構成されている。  
店舗ＩＤは、店舗データ３２の店舗ＩＤを示しており、これによってどの店舗から提供されている商品かを識別できるようにしている。
【００３０】
商品の基本情報３３ａは、商品の成り立ちから外すことの出来ない基本スペックの情報であり、例えばメーカー名、車名、車のタイプ、価格、メイン画像、年式、グレード、車検、走行距離、およびカラー等で構成されている。
【００３１】
商品のこだわり情報３３ｂは、ユーザがこだわりを持つ細部の情報であり、例えばアルミホイール、レザーシート、禁煙車、３列シート、８人乗り、ハンドル、ＨＤＤナビ、ＤＶＤナビ、およびこれらの各画像等によって構成されている。
【００３２】
広告データ３４は、紙媒体により提供する広告用のデータであり、広告ＩＤ、商品ＩＤ、店舗ＩＤ、広告媒体名、頁番号、および枠番号等により構成されている。これにより、どの広告のどの頁のどの枠に、どこの店舗のどの商品が掲載されるかを示すことができ、紙媒体の広告紙面を自動作成することができる。
【００３３】
検索履歴データ３５は、ユーザによって商品が検索された際の検索条件を逐次履歴として蓄積するデータであり、検索者情報および検索日時と、商品データの検索可能な項目によって構成されている。
【００３４】
検索者情報は、検索を行ったユーザまたはユーザ端末６についての情報を記憶する。たとえばユーザに対してユーザ登録とログインを求める場合であればログインＩＤとすることができ、誰でも任意に商品検索可能とする場合であればユーザ端末６のブラウザプログラム１７の名称とバージョンにするなど、適宜の情報にできる。
【００３５】
商品データの検索可能な項目としては、例えばメーカー名、車名、車のタイプ、価格、メイン画像、年式、グレード、車検、走行距離、カラーなどの基本情報、および、アルミホイール、レザーシート、禁煙車、３列シート、８人乗り、ハンドル、ＨＤＤナビ、およびＤＶＤナビなどのこだわり情報によって構成されている。
【００３６】
図３〜図５は、ユーザが商品検索を行う際に管理ＷＥＢサーバ３がユーザ端末６に表示させる画面の構成を示す画面構成図である。
【００３７】
図３は、検索条件指定画面１１０の画面構成図である。  
この検索条件指定画面１１０は、基本情報指定部１１１、およびこだわり情報指定部１１４によって構成されている。
【００３８】
基本情報指定部１１１は、基本情報を指定する複数のプルダウンメニュー１１２と、基本情報のみで検索するための検索ボタン１１３が設けられている。これにより、複数のプルダウンメニュー１１２で基本情報を指定することができる。
【００３９】
こだわり情報指定部１１４は、こだわり情報を指定するプルダウンメニュー１１５と、基本情報およびこだわり情報の両方を満たすことを条件として検索するための検索ボタン１１７が設けられている。これにより、こだわり情報を指定することができ、ユーザがこだわる部分の条件を満たすものだけ検索することが可能となる。なお、こだわり情報を指定するプルダウンメニュー１１５は、図示するように１つとしてもよいが、複数備えて複数指定できるように構成してもよい。
【００４０】
なお、検索条件指定画面１１０は、これに限らず、種々の画面で構成することができる。例えば、図４の画面構成図に示すように、こだわり情報指定部１１４の表示を、プルダウンメニューではなくチェックボックス１１６にしてもよい。この場合も、ユーザはこだわりを指定して検索することができる。
【００４１】
また、こだわり情報指定部１１４の表示を、テキストの自由入力を許容してテキスト検索できるように構成してもよい。この場合は、予め設定されているキーワード以外のキーワードで検索することも可能となる。またこの場合、ユーザがテキスト検索で入力したキーワードでこだわり情報に採用されていない新キーワードを検索履歴データ３５に蓄積し、収集することができる。これにより、こだわり情報のキーワードの増加に役立てることができる。
【００４２】
また、こだわり情報指定部１１４に複数のこだわり情報を指定可能とした場合、どのこだわり情報を一覧表示画面１２０（図５参照）に表示するか選択させる一覧表示選択部をこだわり情報指定部１１４に設けても良い。これにより、複数のこだわり情報のうち簡単に比較したい重要なものを一覧表示画面１２０に表示することが可能となる。また、この場合、一覧表示画面１２０に表示すると選択できるこだわり情報の数を所定数に制限できるため、一覧表示画面１２０の構成を簡潔にすることができる。
【００４３】
図５は、検索結果を比較可能に一覧表示するための一覧表示画面１２０の画面構成図である。
【００４４】
一覧表示画面１２０は、検索条件表示部１２１、ヒット件数表示部１２２、商品情報表示部１２３を一覧表示する一覧表示部、条件変更指定部１３１、再検索ボタン１３５、および広告表示部１３６が設けられている。
【００４５】
商品情報表示部１２３は、メイン画像１２４、こだわり画像１２５、基本情報表示部１２６、店舗名表示部１２７、および店舗ＵＲＬ表示部１２８とが設けられている。
【００４６】
メイン画像１２４は、商品データ３３の基本情報部分に記憶されているメイン画像を表示する。  
こだわり画像１２５は、商品データ３３のこだわり情報部分（図２参照）に記憶されている各画像（アルミホイール画像、レザーシート画像等）のうち、検索条件指定画面１１０のこだわり情報指定部１１４で指定された項目の画像を表示する。これにより、検索で指定されたこだわりに連動して一覧表示画面１２０に表示する内容を変更し、ユーザがこだわっている部分を一覧表示で比較できるようにしている。
【００４７】
基本情報表示部１２６は、商品データ３３に基本情報として記憶されているメーカー名、車名、年式、車検、走行距離、カラーなどを表示している。これにより、一般的なユーザが中古車を購入する際に確認する主要項目を常に表示し、条件を変えて何度も検索しても検索結果の表示としての統一感があるようにしている。
【００４８】
店舗名表示部１２７は、その商品を提供している店舗の名称を店舗データ３２から取り出して表示する。  
店舗ＵＲＬ表示部１２８は、その商品を提供している店舗のホームページアドレスを店舗データ３２から取り出して表示する。
【００４９】
条件変更指定部１３１は、複数のプルダウンメニュー１３２，１３３，１３４が設けられている。このうち、プルダウンメニュー１３２，１３３は、基本情報の検索条件を変更するものであり、プルダウンメニュー１３４は、こだわり情報の検索条件を変更するものであるが、これに限らず任意の数および選択方式にすることができる。
【００５０】
再検索ボタン１３５は、押下されると条件変更指定部１３１の指定に従って、再度の検索を開始するボタンである。この例では、現在一覧表示画面１２０に表示している商品データをさらに絞り込むものとしているが、これに限らず、全商品から再度検索する構成にしてもよい。
【００５１】
広告表示部１３６は、バナー広告等の適宜の広告を表示する部分である。この広告の表示は、検索条件や検索結果に連動させて内容を変更してもよく、また連動させずに時間帯やランダムなどで内容を変更する、あるいは内容を固定する構成としてもよい。
【００５２】
なお、一覧表示画面１２０に表示されている商品を押下すると、図示省略する商品詳細画面を表示する構成にすることが好ましい。この場合、商品詳細画面には、基本情報やこだわり情報を全て表示することが好ましい。これにより、ユーザは一覧表示画面１２０でこだわりも含めて比較した上で、気になる商品についてさらに詳細な情報を確認することができる。
【００５３】
図６〜図１０は、店舗の係員が商品管理を行う際、紙媒体の広告を作成する際、あるいはユーザの嗜好を分析する際に管理ＷＥＢサーバ３が店舗端末５に表示させる画面の構成を示す画面構成図である。
【００５４】
図６（Ａ）は、管理ＷＥＢサーバ３に登録されている商品の管理を行うための商品管理画面１４０の画面構成図を示す。  
商品管理画面１４０は、店舗名表示部１４１、新規ボタン１４２、変更ボタン１４３、削除ボタン１４４、および商品表示部１４９により構成されている。
【００５５】
店舗名表示部１４１は、店舗名を表示する。  
新規ボタン１４２は、図６（Ｂ）に示す商品新規登録画面１５０に画面遷移するボタンである。
【００５６】
変更ボタン１４３は、図６（Ｂ）に示す商品新規登録画面１５０と同じ商品変更画面に画面遷移するボタンである。  
削除ボタン１４４は、図７に示す商品削除画面１７０に画面遷移するボタンである。
【００５７】
商品表示部１４９は、登録されている商品を一覧表示する部分であり、各商品のメイン画像表示部１４５、車名表示部１４６、および登録日表示部１４７が設けられている。
【００５８】
この商品管理画面１４０により、店舗の係員は管理ＷＥＢサーバ３に登録されている商品を確認し、管理することができる。
【００５９】
図６（Ｂ）は、商品を新規登録する商品新規登録画面１５０の画面構成図を示す。  
商品新規登録画面１５０は、上述した店舗名表示部１４１、新規ボタン１４２、変更ボタン１４３、および削除ボタン１４４に加えて、メイン画像表示部１５６、こだわり画像表示部１５７、こだわりキーワード指定部１５８、基本情報指定部１６１が設けられている。
【００６０】
こだわり画像表示部１５７は、商品データ３３のこだわり情報部分に記憶される画像を表示および登録する部分である。このこだわり画像表示部１５７は、隣接されているこだわりキーワード指定部１５８で指定されたキーワードの画像として商品データ３３に登録される。例えば、図示するようにこだわりキーワード指定部１５８で“アルミホイール”が指定されれば、これに隣接されているこだわり画像表示部１５７の画像は“アルミホイール画像”として商品データ３３（図２参照）に記憶される。
【００６１】
基本情報指定部１６１は、車名指定部１６２、年式指定部１６３、グレード指定部１６４、および価格指定部１６５等が設けられている。  
この商品新規登録画面１５０により、店舗の係員は商品を新規登録し、管理ＷＥＢサーバ３で検索可能な商品を追加することができる。また、この商品新規登録画面１５０と同じ画面により、商品の変更を行うこともできる。
【００６２】
図７は、登録されている商品を削除する商品削除画面１７０の画面構成図を示す。  
商品削除画面１７０は、上述した店舗名表示部１４１、新規ボタン１４２、変更ボタン１４３、削除ボタン１４４、および商品表示部１４９が設けられている。
【００６３】
そして、商品表示部１４９のメイン画像表示部１４５に隣接して削除チェックボックス１７９が設けられている。これにより、削除したい商品の削除チェックボックス１７９にチェックを入れるだけで商品を削除できるように構成されている。
【００６４】
この商品削除画面１７０により、管理ＷＥＢサーバ３に登録されている商品を削除するあるいは検索で表示されないようにすることができる。
【００６５】
図８は、商品データ３３を利用して紙媒体の広告を作成するための紙媒体広告作成画面１８０の画面構成図を示す。  
紙媒体広告作成画面１８０は、商品一覧表示部１８３、紙媒体広告表示部１８５、配置指定部１８６、および登録ボタン１８７が設けられている。
【００６６】
商品一覧表示部１８３は、アクセスしている店舗の商品として管理ＷＥＢサーバ３に掲載されている商品を一覧表示する部分である。表示内容としては、車名、メイン画像、こだわりキーワード、こだわり画像などが表示されている。
【００６７】
配置指定部１８６は、商品データ３３を流し込むために予め定められたレイアウトである。商品一覧表示部１８３からマウスドラッグによって商品が配置指定部１８６にドロップされると、その位置にその商品のデータが自動的に表示される。これにより、紙媒体の広告を簡単に作成できるようにしている。
【００６８】
登録ボタン１８７は、押下されると配置指定部１８６の指定内容を広告データ３４（図２参照）に登録するボタンである。
【００６９】
図９（Ａ）は、店舗別に過去の検索履歴を分析するための店舗別検索分析画面１９０の画面構成図である。  
店舗別検索分析画面１９０は、店舗名表示部１９１と、検索結果一覧表示部１９９とが設けられている。
【００７０】
検索結果一覧表示部１９９は、検索されたキーワードを閲覧総数が多いものから順に複数表示する部分であり、各キーワードについて、画像表示部１９２、閲覧総数表示部１９３、日当たり平均表示部１９４、およびキーワード表示部１９５が設けられている。
【００７１】
画像表示部１９２は、検索キーワードに関連する画像を表示する。検索キーワードがこだわり情報であれば、そのキーワードの画像を表示し、検索キーワードが基本情報であればメイン画像を表示する。
【００７２】
閲覧総数表示部１９３は、そのキーワードが閲覧された総数を表示する。  
日当たり平均表示部１９４は、そのキーワードについての一日当たりの平均閲覧回数を表示する。  
キーワード表示部１９５は、そのキーワードを表示する。
【００７３】
この店舗別検索分析画面１９０により、その店舗の中でどのキーワードが良く検索されているか確認することができる。
【００７４】
図９（Ｂ）は、ポータルサイトである管理ＷＥＢサーバ３にて検索された履歴から嗜好を分析する全体検索分析画面２１０の画面構成図である。  
全体検索分析画面２１０は、車種指定部２１１、キーワード指定部２１２、および一覧表示部２１９が設けられている。
【００７５】
車種指定部２１１は、商品データ３３の基本情報である車種を指定する部分である。この例では車種（車名）のみを指定しているが、これに限らず基本情報の他の項目を指定可能にしてもよい。  
キーワード指定部２１２は、こだわり情報の検索キーワードを指定する部分である。
【００７６】
一覧表示部２１９は、こだわりキーワードの検索で閲覧された商品を閲覧総数の多いものから順に表示する部分である。各商品の表示に関して、こだわり画像表示部２１３、閲覧総数表示部２１４、および日当たり平均表示部２１５が設けられている。
【００７７】
この全体検索分析画面２１０により、基本情報の指定とこだわり情報の検索キーワードを指定して、その条件でどの商品が良く閲覧されたのか確認することができる。
【００７８】
図１０（Ａ）は、ポータルサイトである管理ＷＥＢサーバ３にて検索された履歴から嗜好を分析する全体検索分析画面２１０の画面構成図である。  
この全体検索分析画面２１０は、図９（Ｂ）で説明した全体検索分析画面２１０と同一であり、こだわり情報の検索キーワードを指定しなかった場合の表示例を示している。
【００７９】
この場合、一覧表示部２１９に、閲覧総数が多いものから順にこだわり情報の検索キーワードを表示する。なお、図示の例ではこだわり情報の検索キーワードの代わりにこだわり画像をこだわり画像表示部２１３に表示しているが、こだわり画像表示部２１３の代わりあるいはこだわり画像表示部２１３と共にこだわりキーワードを表示する構成にしてもよい。
【００８０】
図１０（Ｂ）は、ポータルサイトである管理ＷＥＢサーバ３にて検索された履歴から上位のこだわり検索キーワードを分析する検索上位分析画面２３０の画面構成図である。
【００８１】
検索上位分析画面２３０は、上位商品種別こだわり検索一覧表示部２３１と、全体こだわり検索一覧表示部２３２とが設けられている。  
上位商品種別こだわり検索一覧表示部２３１は、上位５位までの商品種別（この例では５車種）に絞り込んだ検索履歴から、こだわり情報の検索キーワードを１位から５位まで表示する部位である。この表示には、こだわり情報の検索キーワードと、閲覧数とが表示されている。
【００８２】
全体こだわり検索一覧表示部２３２は、商品種別にかかわらず全体の検索履歴からこだわり情報の検索キーワードの１位から３位までを表示する部分である。
【００８３】
この検索上位分析画面２３０により、人気の高い商品種別におけるこだわり情報の検索上位キーワードと、すべての商品でのこだわり情報の検索上位キーワードを確認できる。従って、商品種別によってこだわり情報の検索キーワードが異なっているかなど、嗜好の種々の傾向を分析することができる。
【００８４】
図１１は、店舗ＷＥＢサーバ２の制御手段が商品検索表示プログラム２４に従って実行する動作のフローチャートである。  
店舗ＷＥＢサーバ２の制御手段は、アクセスしてきたユーザ端末６に対して検索条件指定画面１１０のデータを送信し、検索条件指定画面１１０を表示させ（ステップＳ１）、基本情報やこだわり情報が指定されて検索実行されるまで待機する（ステップＳ２：Ｎｏ）。
【００８５】
検索実行がされると（ステップＳ２：Ｙｅｓ）、店舗ＷＥＢサーバ２の制御手段は、商品データ３３から検索条件に該当する商品を抽出し（ステップＳ３）、一覧表示画面１２０（図５参照）を作成する（ステップＳ４）。
【００８６】
このとき、一覧表示画面１２０の商品情報表示部１２３には、基本情報、店舗情報に加えて、ステップＳ１〜Ｓ２で指定されたこだわり情報に対応するこだわり画像１２５を表示する。ここで、ステップＳ１〜Ｓ２にてこだわり情報が１つ指定されていれば、そのこだわり情報についてのこだわり画像１２５を表示し、複数のこだわり情報が指定されていれば、適宜の方法で定めた１のこだわり画像１２５を表示する。
【００８７】
適宜の方法は、たとえば最初に指定されたこだわり情報のこだわり画像１２５とする、あるいは図示省略するこだわり表示選択部により表示するこだわり画像１２５を選択させるなど、様々な方法を採用できる。また、この例では１つのこだわり画像１２５を表示しているが、複数のこだわり画像１２５を表示する構成にすることも可能である。この場合も、こだわり情報が複数あれば、その一部または全部のこだわり情報に関するこだわり画像１２５を表示する構成にすればよい。
【００８８】
このようにすることで、こだわり情報として用意されている情報のうち、ユーザがこだわらないこだわり情報については表示せず、ユーザがこだわるこだわり情報のみ比較可能に一覧表示できる。
【００８９】
店舗ＷＥＢサーバ２の制御手段は、このようにして作成した一覧表示画面１２０のデータをユーザ端末６に送信し、ユーザ端末６に一覧表示画面１２０を表示させる（ステップＳ５）。
【００９０】
店舗ＷＥＢサーバ２の制御手段は、ステップＳ２で実行された検索条件（基本情報およびこだわり情報）を検索履歴データ３５に追記して履歴を蓄積する（ステップＳ６）。
【００９１】
店舗ＷＥＢサーバ２の制御手段は、ユーザによって再検索がされると（ステップＳ７：Ｙｅｓ）、ステップＳ３〜Ｓ６を繰り返し、再検索されなければ（ステップＳ７：Ｎｏ）、処理を終了する。
【００９２】
図１２は、各店舗の係員によって管理ＷＥＢサーバ３に登録している商品の管理が行われる際に、管理ＷＥＢサーバ３の制御手段が商品管理プログラム２３によって実行する動作を示すフローチャートである。
【００９３】
管理ＷＥＢサーバ３の制御手段は、店舗の係員によるアクセスをログイン処理などによって認識すると、アクセスしてきた店舗端末５に商品管理画面１４０のデータを送信し、店舗端末５に商品管理画面１４０を表示させる（ステップＳ１１）。
【００９４】
新規ボタン１４２の押下によって新規登録が選択されると（ステップＳ１２：Ｙｅｓ）、管理ＷＥＢサーバ３の制御手段は、商品新規登録画面１５０のデータを送信して店舗端末５に商品新規登録画面１５０を表示させ、商品の新規登録を許容する（ステップＳ１３）。
【００９５】
変更ボタン１４３の押下によって変更が選択されると（ステップＳ１４：Ｙｅｓ）、管理ＷＥＢサーバ３の制御手段は、商品新規登録画面１５０と同じ商品変更画面のデータを送信して店舗端末５に商品変更画面を表示させ、商品の登録内容の変更を許容する（ステップＳ１５）。
【００９６】
削除ボタン１４４の押下によって商品削除が選択されると（ステップＳ１６：Ｙｅｓ）、管理ＷＥＢサーバ３の制御手段は、商品削除画面１７０のデータを送信して店舗端末５に商品削除画面１７０を表示させ、商品の削除を許容する（ステップＳ１７）。この削除処理では、商品データ３３から該当商品を削除する、あるいは、商品データ３３内の該当商品の非表示フラグをＯＮにして表示しない状態とするなど、少なくともユーザによる商品検索でヒットしなくなるようにする適宜の処理とすることができる。
【００９７】
管理ＷＥＢサーバ３の制御手段は、商品管理が終了されるまでステップＳ１１〜Ｓ１７を繰り返し（ステップＳ１８：Ｎｏ）、商品管理の終了によって（ステップＳ１８：Ｙｅｓ）この処理を終了する。
【００９８】
図１３は、各店舗の係員によって管理ＷＥＢサーバ３に登録している商品から紙媒体の広告を作成する際に、管理ＷＥＢサーバ３の制御手段が広告データ作成プログラム２５によって実行する動作を示すフローチャートである。
【００９９】
管理ＷＥＢサーバ３の制御手段は、店舗の係員によるアクセスをログイン処理などによって認識すると、アクセスしてきた店舗の商品データを商品データ３３（図２参照）から抽出する（ステップＳ２１）。
【０１００】
管理ＷＥＢサーバ３の制御手段は、抽出した商品データを含めた紙媒体広告作成画面１８０のデータを送信し、店舗端末５に紙媒体広告作成画面１８０（図８参照）を表示させる（ステップＳ２）。
【０１０１】
管理ＷＥＢサーバ３の制御手段は、商品一覧表示部１８３から商品がドラッグされて紙媒体広告表示部１８５にドロップされるまで待機し（ステップＳ２３：Ｎｏ）、ドロップされると（ステップＳ２３：Ｙｅｓ）、紙媒体広告表示部１８５の表示を更新する（ステップＳ２４）。
【０１０２】
管理ＷＥＢサーバ３の制御手段は、登録ボタン１８７が押下されるまでステップＳ２３〜Ｓ２４を繰り返し許容し（ステップＳ２５：Ｎｏ）、登録ボタン１８７が押下されると（ステップＳ２５：Ｙｅｓ）、作成された広告のデータを広告データ３４（図２参照）に登録し（ステップＳ２６）、処理を終了する。
【０１０３】
これにより、広告データ３４を用いて紙媒体の広告のデータを自動作成し、手間をかけずに広告作成することが可能になる。
【０１０４】
図１４は、どのようなこだわり情報について検索が行われているかによってユーザの嗜好を分析する際に、管理ＷＥＢサーバ３の制御手段が嗜好分析プログラム２６によって実行する動作を示すフローチャートである。
【０１０５】
管理ＷＥＢサーバ３の制御手段は、店舗の係員によるアクセスをログイン処理などによって認識すると、図示省略する分析方法選択画面のデータを送信して店舗端末５に分析方法選択画面を表示させ、分析方法の指定を受け付ける（ステップＳ３１）。
【０１０６】
店舗分析が指定されると（ステップＳ３２：Ｙｅｓ）、管理ＷＥＢサーバ３の制御手段は、店舗別検索分析画面１９０のデータを送信し、店舗端末５に店舗別検索分析画面１９０（図９（Ａ）参照）を表示させる（ステップＳ３３）。
【０１０７】
全体分析が指定されると（ステップＳ３４：Ｙｅｓ）、管理ＷＥＢサーバ３の制御手段は、全体検索分析画面２１０のデータを送信し、店舗端末５に全体検索分析画面２１０（図９（Ｂ）参照）を表示させる（ステップＳ３５）。
【０１０８】
上位分析が指定されると（ステップＳ３６：Ｙｅｓ）、管理ＷＥＢサーバ３の制御手段は、検索上位分析画面２３０のデータを送信し、店舗端末５に検索上位分析画面２３０（図１０（Ｂ）参照）を表示させる（ステップＳ３７）。
【０１０９】
以上の構成および動作により、ユーザがこだわっている項目（こだわり情報）に絞り込む検索を行うことができ、かつ、そのこだわった項目を一覧表示画面１２０によって商品間で簡単に比較することができる。
【０１１０】
一覧表示画面１２０には、こだわり画像１２５を設けてこのこだわり画像１２５にこだわった項目に関する画像を表示するため、見やすい一覧表示画面１２０を提供できる。つまり、複数用意されているこだわり情報のうち、ユーザが選択していないこだわり情報についてのこだわり画像は表示せず、検索条件として指定したこだわり情報についてのこだわり画像１２５だけを表示することで、一覧表示画面１２０をシンプルにして見やすくすることができる。
【０１１１】
またこのように一覧表示画面１２０に表示するこだわり画像１２５を、ユーザに検索条件として指定されたこだわり情報のこだわり画像１２５のみとすることで、商品データ３３に登録されている全てのこだわり画像１２５を表示するよりも大きなサイズでこだわり画像１２５を表示できる。
【０１１２】
また、このように検索条件で指定されていないこだわり情報については一覧表示画面１２０に表示しないことで、ユーザのこだわりに関するこだわり画像１２５が他の情報に埋もれることがなく、ユーザは目的の条件を簡単に比較することができる。
【０１１３】
また、店舗の係員は、管理ＷＥＢサーバ３に登録されている商品を簡単に追加、変更、削除することができる。これにより、利便性を向上することができるとともに、検索によって表示する商品と在庫のある商品との一致を簡単に行うことができる。
【０１１４】
また、紙媒体広告作成画面１８０により、既に情報登録されている商品データ３３を利用して、簡単な操作で紙媒体の広告を作成することができる。これにより、紙媒体の広告を作成する毎に広告用の商品データを作成したりレイアウトを検討するといった手間を省略することができ、利便性を大きく向上させることができる。
【０１１５】
また、店舗別検索分析画面１９０、全体検索分析画面２１０、および検索上位分析画面２３０により、過去の検索履歴からこだわり情報の検索キーワードで何が人気か等、ユーザの嗜好を分析できる。これにより、商品販売を行う店舗は、たとえば中古商品を商品データ３３に登録して販売するに当たって、売れやすい状態にしてから登録・販売することが可能となる。具体的には、例えば、人気の高いこだわり部分がハンドルであれば、ハンドルをこだわり商品に変更してから販売するといったことができる。また、ハンドルでも木目ハンドルが人気であれば木目ハンドルにするといったこともできる。
【０１１６】
その上、人気のない部分にこだわって無駄な投資をし、かえって商品が売れなくなるといったことを防止できる。すなわち、例えばレザーシートの人気が下がっているにもかかわらずレザーシートを追加して販売するといったことを防止できる。
【０１１７】
このようにして、店舗はユーザの好む状態にして商品を販売することができ、売り上げ向上と経費削減を図ることができると共に、ユーザの好む商品を提供して顧客満足度を向上させることも可能となる。
【０１１８】
また、既に登録している商品データ３３を利用して紙媒体の広告を簡単に作成できるため、広告作成に要する時間と費用と手間とを大幅に削減することができ、販売機会を逃すことなく販促に励むことができる。すなわち、例えば自動車に関するイベントがあるときに、イベント直前の最新情報（商品データ３３）を利用して迅速に紙媒体の広告を作成し、配布するといったことが可能になる。
【０１１９】
この発明の構成と、上述の実施形態との対応において、
この発明の商品検索比較装置およびコンピュータは、実施形態の管理ＷＥＢサーバ３に対応し、
以下同様に、
情報処理手段は、管理ＷＥＢサーバ３の制御手段に対応し、
記憶手段は、管理ＷＥＢサーバ３の記憶手段に対応し、
商品検索比較プログラムは、商品検索表示プログラム２４に対応し、
商品データは、商品データ３３に対応し、
基本情報は、基本情報３３ａに対応し、
こだわり情報は、こだわり情報３３ｂに対応し、
紙媒体広告用のレイアウトデータは、紙媒体広告作成画面１８０の配置指定部１８６のデータに対応し、
検索履歴データは、検索履歴データ３５に対応し、
検索条件および条件指定されたこだわり情報の項目は、こだわり情報指定部１１４での指定条件に対応し、
一覧表示画面は、一覧表示画面１２０に対応し、
商品表示部は、商品情報表示部１２３に対応し、
こだわり情報表示部およびこだわり部分の画像データは、こだわり画像１２５に対応し、
分析結果一覧表示画面は、店舗別検索分析画面１９０、全体検索分析画面２１０、および検索上位分析画面２３０に対応し、
検索条件受付手段は、ステップＳ１〜Ｓ２を実行する管理ＷＥＢサーバ３の制御手段に対応し、
商品データ抽出処理は、ステップＳ３に対応し、
一覧表示画面作成処理は、ステップＳ４に対応し、
出力手段は、ステップＳ５を実行する管理ＷＥＢサーバ３の制御手段に対応し、
検索履歴蓄積処理は、ステップＳ６に対応し、
広告商品指定受付処理は、ステップＳ２１に対応し、
紙面データ作成処理および紙面データ出力処理は、ステップＳ２２，ｓ２４に対応し、
分析条件受付処理は、ステップＳ３１に対応し、
検索条件抽出処理、分析結果一覧表示画面作成処理および分析結果一覧表示画面出力処理は、ステップＳ３３，Ｓ３５，Ｓ３７に対応するが、
この発明は、上述の実施形態の構成のみに限定されるものではなく、多くの実施の形態を得ることができる。
【図面の簡単な説明】
【０１２０】
【図１】商品検索比較システムのシステム構成を示す構成図。
【図２】管理ＷＥＢサーバが記憶しているデータの構成図。
【図３】検索条件指定画面の画面構成図。
【図４】検索条件指定画面の画面構成図。
【図５】一覧表示画面の画面構成図。
【図６】商品管理画面の画面構成図。
【図７】商品削除画面の画面構成図。
【図８】紙媒体広告作成画面の画面構成図。
【図９】店舗別検索分析画面の画面構成図。
【図１０】全体検索分析画面の画面構成図。
【図１１】商品検索表示プログラムによる動作のフローチャート。
【図１２】商品管理プログラムによる動作のフローチャート。
【図１３】広告データ作成プログラムによる動作のフローチャート。
【図１４】嗜好分析プログラムによる動作のフローチャート。
【符号の説明】
【０１２１】
３…管理ＷＥＢサーバ、２４…商品検索表示プログラム、３３…商品データ、３３ａ…基本情報、３３ｂ…こだわり情報、３４…広告データ、３５…検索履歴データ、１１４…こだわり情報指定部、１２０…一覧表示画面、１２３…商品情報表示部、１２５…こだわり画像、１９０…店舗別検索分析画面、２１０…全体検索分析画面、２３０…検索上位分析画面
【図１】
2010086499.tif 000003
【図２】
2010086499.tif 000004
【図３】
2010086499.tif 000005
【図４】
2010086499.tif 000006
【図５】
2010086499.tif 000007
【図６】
2010086499.tif 000008
【図７】
2010086499.tif 000009
【図８】
2010086499.tif 000010
【図９】
2010086499.tif 000011
【図１０】
2010086499.tif 000012
【図１１】
2010086499.tif 000013
【図１２】
2010086499.tif 000014
【図１３】
2010086499.tif 000015
【図１４】
2010086499.tif 000016